(57)【要約】【目的】単音のスライド式クロマチックハーモニカをトレモロ音のハーモニカとして構成する。【構成】リードに通じる通気路を有し、通気路を流れる気流により音を発する発音部を有するスライド式クロマチックハーモニカであって、各発音部１４は、基音を発音する発音部１６と、基音とは所要音程異なる音を発音する副発音部１７とを有し、主発音部１６と副発音部１７とは仕切り１８によって左右に分離しており、主発音部１６の通気路の前部に主リード１９を配置する一方、副発音部１７の通気路の後に副リード２１を配置し、主発音部１６に副発音部１７とは歌口２８を共通することにより音程の異なる２音を反復発音するトレモロ演奏を可能とする。【選択図】        図１
2004219732.tif 000002
【特許請求の範囲】
【請求項１】
リードに通じる通気路を有し、通気路を流れる気流により音を発する発音部を有するスライド式クロマチックハーモニカであって、各発音部は、基音を発音する主発音部と、基音とは所要音程異なる音を発音する副発音部とを有し、主発音部と副発音部とは仕切りによって左右に分離しており、主発音部の通気路の前部に主リードを配置する一方、副発音部の通気路の後部に副リードを配置し、主発音部と副発音部とは歌口を共通することにより音程の異なる２音を反復発音するトレモロ奏法を可能としたことを特徴とするスライド式クロマチックトレモロハーモニカ。
【請求項２】
主発音部と副発音部とを左右に分離した仕切りの前端は、隣接の発音部を分離している隔壁の前端よりも後退した位置にある請求項１記載のスライド式クロマチックトレモロハーモニカ。
【発明の詳細な説明】
【０００１】
【発明の属する技術分野】
本発明は、リードに通じる通気路を有し、通気路を流れる気流により音を発する発音部を有するスライド式クロマチックハーモニカに関するものである。
【０００２】
【従来の技術】
ハーモニカには、日本で発達した複音ハーモニカや、ブルース、カントリー、ウエスタン、ジャズ等に用いられるテンホールズハーモニカ、或いはレバー操作により半音が出せるスライド式クロマチックハーモニカなど多くの種類があり、従来、トレモロ奏法はハーモニカでも、各演奏者が習得した技術で行っている。しかし、それは単音に手でビブラートを加えているに過ぎず、例えばアコーディオンに備わるボタンスイッチで音を出す本来のトレモロとは全く異なるものである。
【０００３】
【発明が解決しようとする課題】
本発明は前記の点に着目してなされたもので、その課題は、単音のスライド式クロマチックハーモニカをトレモロ音のハーモニカとして構成することである。また本発明の他の課題は、従来の単音のスライド式クロマチックハーモニカの演奏者が全く違和感なく使用できるスライド式クロマチックトレモロハーモニカを提供することである。
【０００４】
【課題を解決するための手段】
前記の課題を解決するため、本発明では、各発音部は、基音を発音する主発音部と、基音とは所要音程異なる音を発音する副発音部とを有し、主発音部と副発音部とは仕切りによって左右に分離しており、主発音部の通気路の前部に主リードを配置する一方、副発音部の通気路の後部に副リードを配置し、主発音部と副発音部とは歌口を共通することにより音程の異なる２音を反復発音するトレモロ奏法を可能としたという手段を講じたものである。
【０００５】
本発明のハーモニカは、リード部に通じる通気路を有し、通気路を流れる気流により音を発する複数の発音部を有するスライド式クロマッチックハーモニカを対象としている。この種のハーモニカは、１箇所の歌口について、吹音と吸音、及びレバー操作により半音階高い吸音と吹音を発するので計４音を発音できるのが特徴である（図６、図７参照）。
【０００６】
このようなスライド式クロマチックハーモニカに対して、本発明では、各発音部を、基音となる音を発音する主発音部と、基音と所要音程異なる音を発音する副発音部とで構成する。副発音部は、本発明の場合基音よりもセント低い音を出す。セントとは、１２平均律音階の半音の１００分の１の音程、若しくは二つの音の基本周波数の比が２の１２００分の１乗である２音間の音程、などといいあらわされるその音程のことである。
【０００７】
本発明において、通気路は、主発音部のための通気路と、副発音部のための通気路とを有している。両通気路は仕切りによって左右に分離されており、かつ、その主通気路の前部に主発音部のリードを配置し、副通気路の後部に副発音部のリードを配置する。リード位置は前部リードの方が後部リードの方よりも発音しやすく、音量も大であり、前部リードを基音用とすることが、基音を安定して発音させる上で好ましい。また、主発音部と副発音部とは仕切りによって分離されているから、独立した空気室で発音するようになり、トレモロ音の安定的持続に寄与する。
【０００８】
また、主発音部の通気路と副発音部の通気路とを左右に分離している仕切りの前端は、隣接した各発音部を分離する隔壁の前端よりも後退した位置にあることが望ましい。そのようにすることによって、図３に示されているように複数個の歌口が横一列に並ぶスライド式クロマチックハーモニカでは、１個の歌口の中心と各発音部の中心とが一致しないために起こり得る、通気不全が解消され発音の安定性向上に寄与する。
【０００９】
【発明の実施の形態】
以下図示の例を参照し本発明に係るスライド式クロマチックトレモロハーモニカについてより詳細に説明する。図１は本発明に係るハーモニカのカバーを取り外しかつ構成部材を分解した状態を示している。
【００１０】
図１において、符号１１は構造的に中心となる本体を示しており、本体１１は左右に並列した上下の発音部を有する、全体として扁平かつ横長な形態を持っている。スライド式クロマチックハーモニカであるから、本体１１の上下に夫々リードプレート１２、１３が組み合わされており、上下の発音部は、図６、図７に示すように上段のものが吹音を発音し、下段のものは吸音を発音するもので、左右に隣合う発音部１４は隔壁１５によって分離されている。
【００１１】
各発音部１４は、基音を発音する主発音部１６と、基音とはセント異なる音を発音する副発音部１７とを有し、主発音部１６と副発音部１７とは仕切り１８によって左右に分離されており、夫々主発音部１６の通気路と副発音部１７の通気路を構成する。そして主発音部１６の通気路の前部に基音のための主リード１９を設け、副発音部１７の通気路の後部にセント異なる音のための副リード２１を設けている。
【００１２】
上記の構成を有する本体１１と上下リードプレート１２、１３とは、ビス等の結合手段２２によって一体に結合し、それによって各個独立した、リード１９、２１に通じる通気路が囲まれる。各発音部１４は、音程に適合して変化させた前後長さを有しており、かつまた音程に応じて異なるリード１９、２１の振動特性を考慮して変化させた底上げ２３などを有している。また仕切り１８の前端２４は隔壁１５の前端２５よりも後退した位置にある。これにより、両発音部１６、１７に共通の小空間が通気路の前部に用意されるので、気流配分上融通性が得られる。
【００１３】
本体１１の各発音部１４の開口端には開口端と同位置に同数個の開口２６を有するアンダープレートと称する下板２７が取り付けられ、下板２７と、歌口２８を有するマウスピース２９との間にスライド開口３１を有するスライド３２が左右へスライド可能に組み込まれる。３３は操作部を示している。下板２７とマウスピース２９とは本体１１にねじ止めなどの手段３４によって固定される。
【００１４】
よって、リード板１２、１３を一体化した本体１１に下板２７、スライド３２及びマウスピース２９を取り付け、さらにリード板を覆うカバー３５、３６を取り付けることによってスライド式クロマチックトレモロハーモニカ１０が組み立ててられる。かくして組み立てられたハーモニカ１０の歌口２８からは、スライド３２の開口３１の奥に、各発音部１４の後退した仕切り前端２４が見えることから（図３）、主、副両発音部１６、１７に必要十分な量の通気を確保できることが理解されよう。例示のハーモニカ１０では、主発音部１６のリード１９を手前に、副発音部１７のリード２１を奥に配置する形態を取っている。しかし、これらの形態は絶対的なものではなく、必要な音楽的効果を得るために変更は可能である。
【００１５】
本発明に係るスライド式クロマチックトレモロハーモニカ１０を用いて演奏する要領は、これまでのスライド式クロマチックハーモニカの場合と全く同様である。つまり歌口２８に当てた唇から気流を吹き或いは吸うことによって、気流が該当する発音部１４のリード１９、２１を振動させ、音が発生する。このとき本発明に係るハーモニカ１０の２個の主、副リード１９、２１は、基音とそれよりもセント低い音を発音するのでトレモロ音として聞こえ、しかもこれを無理なく持続することができる。
【００１６】
【発明の効果】
本発明は以上の如く構成されかつ作用するものであるから、単音のスライド式クロマチックハーモニカと同様の歌口を有するマウスピース及びスライドを有するトレモロハーモニカを構成することができ、従来のスライド式クロマチックハーモニカの演奏者も全く違和感なく使用して、トレモロ効果を享受することができる。
【図面の簡単な説明】
【図１】本発明に係るスライド式クロマチックトレモロハーモニカの例を示す分解斜視図。
【図２】図１のものの組み立て状態の平面図。
【図３】同じく正面図。
【図４】同じく側面図。
【図５】同じく斜視図。
【図６】スライド式クロマチックハーモニカのスライドを引き出したときの音配列表。
【図７】同じくスライドを押し込んだときの音配列表。
【符号の説明】
１０  スライド式クロマチックトレモロハーモニカ
１１  本体
１２、１３  リードプレート
１４  発音部
１５  隔壁
１６  主発音部
１７  副発音部
１８  仕切り
１９、２１  リード
２４  仕切り前端
２５    隔壁の前端
２８  歌口
【図１】
2004219732.tif 000003
【図２】
2004219732.tif 000004
【図３】
2004219732.tif 000005
【図４】
2004219732.tif 000006
【図５】
2004219732.tif 000007
【図６】
2004219732.tif 000008
【図７】
2004219732.tif 000009